(57)【特許請求の範囲】
【請求項１】
一端側が固定され、他端側が光モジュールに接続される所定長の光ファイバコードの余長を処理する光ファイバコード余長処理装置であって、
予め固定された中心軸に回転自在に軸支され前記一端側の光ファイバコードの余長を巻き取るリール部材と、
前記他端側の光ファイバコードを案内する周壁と前記中心軸が挿入されたガイド溝とを有し、このガイド溝に沿って前記リール部材に対して移動自在なスライド部材と、
前記中心軸を固定すると共に前記スライド部材を収容しつつ前記スライド部材の移動のためのガイド機能を有しかつ光ファイバケーブル収容装置への挿入および前記ファイバケーブル収容装置からの引き出しが可能なカバー部材とを含み、
前記スライド部材の移動距離に応じて、前記他端側の光ファイバコードの余長を処理することを特徴とする光ファイバコード余長処理装置。
【請求項２】
前記ガイド溝は前記スライド部材の中央部に形成され、前記スライド部材の移動方向に長径を有する長円形であり、前記周壁は前記スライド部材の端部に配置され、弦方向が前記ガイド溝に対向する曲面であることを特徴とする請求項１記載の光ファイバコード余長処理装置。
【請求項３】
前記カバー部材、前記スライド部材、並びに前記リール部材から形成される余長処理部を収納する収納凹部を更に含み、
前記光ファイバコードの一端側を前記収納凹部に固定し、前記周壁に前記他端側の光ファイバコードを案内し、前記リール部材において前記一端側の光ファイバコードの余長を巻き取り、前記リール部材と前記周壁との距離が最小となるよう前記スライド部材を移動し、前記余長処理部を前記収納凹部に挿入し、前記余長処理部を前記収納凹部に固定し、前記他端側の光ファイバコードを前記光モジュールに接続し、前記距離を増加せしめるよう前記スライド部材を移動し前記他端側の光ファイバコードの余長を処理することを特徴とする請求項１または2記載の光ファイバコード余長処理装置。
【請求項４】
前記周壁は、前記光ファイバコードの所定の許容曲率半径より大なる半径を有することを特徴とする請求項１から３いずれか記載の光ファイバコード余長処理装置。
【請求項５】
固定された複数の光ファイバケーブルが、光モジュールに接続される所定長の光ファイバコードに夫々変換され、これ等光ファイバコードの余長を夫々処理する複数の光ファイバコード余長処理装置を内蔵した光ファイバケーブル収容装置であって、
前記光ファイバコード余長処理装置は、
予め固定された中心軸に回転自在に軸支され前記光ファイバケーブル側の光ファイバコードの余長を巻き取るリール部材と、
前記光モジュール側の光ファイバコードを案内する周壁と前記中心軸が挿入されたガイド溝とを有し、このガイド溝に沿って前記リール部材に対して移動自在なスライド部材と、
前記中心軸を固定すると共に前記スライド部材を収容しつつ前記スライド部材の移動のためのガイド機能を有しかつ前記光ファイバケーブル収容装置への挿入および前記ファイバケーブル収容装置からの引き出しが可能なカバー部材とを含み、
前記スライド部材の移動距離に応じて、前記光モジュール側の光ファイバコードの余長を処理することを特徴とする光ファイバケーブル収容装置。
【請求項６】
固定された複数の芯線を有する光ファイバケーブルが、光モジュールに接続される所定長の光ファイバコードに前記複数の芯線毎に夫々変換され、これ等光ファイバコードの余長を夫々処理する複数の光ファイバコード余長処理装置を内蔵した光ファイバケーブル収容装置であって、
前記光ファイバコード余長処理装置は、
予め固定された中心軸に回転自在に軸支され前記光ファイバケーブル側の光ファイバコードの余長を巻き取るリール部材と、
前記光モジュール側の光ファイバコードを案内する周壁と前記中心軸が挿入されたガイド溝とを有し、このガイド溝に沿って前記リール部材に対して移動自在なスライド部材と、
前記中心軸を固定すると共に前記スライド部材を収容しつつ前記スライド部材の移動のためのガイド機能を有しかつ前記光ファイバケーブル収容装置への挿入および前記ファイバケーブル収容装置からの引き出しが可能なカバー部材とを含み、
前記スライド部材の移動距離に応じて、前記光モジュール側の光ファイバコードの余長を処理することを特徴とする光ファイバケーブル収容装置。
【請求項７】
前記周壁は、前記光ファイバコードの所定の許容曲率半径より大なる半径を有することを特徴とする請求項５または６記載の光ファイバケーブル収容装置。
【発明の詳細な説明】
【０００１】
【発明の属する技術分野】
本発明は光ファイバコード余長処理装置及びそれを内蔵した光ファイバケーブル収容装置に関するものであり、特に、一端側が固定され、他端側が光モジュールに接続される所定長の光ファイバコードの余長を処理する光ファイバコード余長処理装置及びそれを内蔵した光ファイバケーブル収容装置に関するものである。
【０００２】
【従来の技術】
通常、光ファイバケーブルは光ファイバケーブル収容装置（以下、単に「装置」という）の入口に引き込まれ固定された後、その芯線が光ファイバコードに接続され、光ファイバコードが装置内に配線される。この接続は融着工事により行われるが、装置内の光ファイバコードの長さは一定ではない。また、光ファイバケーブルの芯線は一般的に多数本存在し、融着工事により接続された光ファイバコードの長さを装置内で必要とされる配線長に合わせて工事することは難しい。このため、装置内で光ファイバコードの余長が発生し、それを処理するために余長処理部が設けられている。
【０００３】
従来、余長処理部においてはリールやボビンを用いて余長の処理が行われていた。従来の余長処理としてリールを使用した場合の余長処理部の一般的な構成を模式的に図８〜図１０に示す。図８〜図１０において、４はリール、１１は光ファイバケーブル、１２は光ファイバコード、１３は光ファイバケーブル固定用金具、１４は光モジュール、１６は光コネクタである。固定された光ファイバケーブル１１が融着工事によって光ファイバコード１２に接続され、光ファイバコード１２の端部に接続された光コネクタ１６が光モジュール１４に接続される場合の余長処理について説明する。なお、光ファイバケーブル１１と光コネクタ１６との間の距離が１００ｍｍで、リール４の外周が２００ｍｍであると仮定する。
【０００４】
図８は余長が完全に処理される場合を示したものである。すなわち、余長処理に必要な光ファイバコード１２の長さが３００ｍｍであり、リール４で巻き取られる光ファイバコード１２の長さが１回巻で２００ｍｍ、光ファイバケーブル１１と光コネクタ１６との間の距離が１００ｍｍであるから合計３００ｍｍとなり、光ファイバコード１２の余長が完全に処理されることになる。
【０００５】
これに対して図９の場合、余長処理に必要な光ファイバコード１２の長さが４００ｍｍであり、リール４で巻き取られる光ファイバコード１２の長さが１回巻で２００ｍｍ、光ファイバケーブル１１と光コネクタ１６との間の距離が１００ｍｍであるから光ファイバコード１２は１００ｍｍ余長処理がなされず余ってしまうことになる。
【０００６】
更に、図１０の場合は図９の場合と同じ条件であるが、リール４で巻き取る回数を２回とすると、リール４で巻き取られる光ファイバコード１２の長さが４００ｍｍとなってしまい、光ファイバコード１２は光モジュール１４に届かず、やはり光ファイバコード１２余長をうまく処理することはできないことになる。
【０００７】
【発明が解決しようとする課題】
しかしながら、従来リールやボビンを使用した余長処理に代表される光ファイバコードの余長処理部は、装置においてかなりの部分を占有していた。その理由は、光ファイバコードは予め最小曲げ半径が規定されてており、それ以上小さな半径で曲げると光ファイバコード自体が折れてしまうため、余長処理部はある程度の大きさが必要とされていたからである。更に、光ファイバコードの融着工事や光コネクタの接続替え等の作業性を良くするため、余長処理部にはかなりの空間を割き、光ファイバコードが折れないように固定金具等を用いて固定していた。
【０００８】
近年、装置が収容する光チャネル数の増加や、装置の小型化、高密度実装化が進められた結果、光ファイバケーブルを多数本収容するようになり、その結果光ファイバコードの余長処理部は装置の大半を占有するようになってきた。従って、余長処理部の小型化と、作業性の改善が求められてきている。
【０００９】
また、回線（チャネル）の切り替えは、光ファイバコードの光コネクタの接続替えで行われているため、回線数（チャネル数）が増加すると接続替えの光コネクタの数も増加し、着脱頻度も多くなる。しかしながら、接続替えのための十分な空間が確保されていないためその作業性は困難を極めている。
【００１０】
従って、光モジュールと接続する光ファイバコードとの対応付けが難しく、移設工事等で移設の対象たる回線の光チャネルの光ファイバコードを的確に識別することができず、他チャネルの光ファイバコードを外してしまったり、本来移設の対象でないはずの回線の光ファイバコードを誤って引っ張り、最悪の場合光ファイバコードを折ってしまう等の問題があった。
【００１１】
また、上述したように、余長処理にリールやボビンを使用した場合でも、そのリールの最後の１巻分の長さの余長調整を行うことはできない。従って、余長処理を行っても光モジュールの光コネクタの接続部分で、最長でリールの１巻分の長さに相当する光ファイバコードが余長として発生し、配線が煩雑となり設置工事を更に作業性の悪いものとしていた。
【００１２】
そこで、本発明はかかる従来技術の問題点を解決すべくなされたものであって、その目的とするところは、余長処理部の小形化を図り、装置に占める割合を低減すると共に、装置外部において完全に光ファイバケーブルの余長処理を行うことで作業性の改善が図られる優れた光ファイバコード余長処理装置及びそれを内蔵した光ファイバケーブル収容装置を提供することにある。
【００１３】
【課題を解決するための手段】
本発明によれば、一端側が固定され、他端側が光モジュールに接続される所定長の光ファイバコードの余長を処理する光ファイバコード余長処理装置であって、
予め固定された中心軸に回転自在に軸支され前記一端側の光ファイバコードの余長を巻き取るリール部材と、前記他端側の光ファイバコードを案内する周壁と前記中心軸が挿入されたガイド溝とを有し、このガイド溝に沿って前記リール部材に対して移動自在なスライド部材と、前記中心軸を固定すると共に前記スライド部材を収容しつつ前記スライド部材の移動のためのガイド機能を有しかつ光ファイバケーブル収容装置への挿入および前記ファイバケーブル収容装置からの引き出しが可能なカバー部材とを含み、前記スライド部材の移動距離に応じて、前記他端側の光ファイバコードの余長を処理することを特徴とする光ファイバコード余長処理装置が得られる。
【００１５】
そして、前記ガイド溝は前記スライド部材の中央部に形成され、前記スライド部材の移動方向に長径を有する長円形であり、前記周壁は前記スライド部材の端部に配置され、弦方向が前記ガイド溝に対向する曲面であることを特徴とする。
【００１６】
また、前記カバー部材、前記スライド部材、並びに前記リール部材から形成される余長処理部を収納する収納凹部を更に含み、前記光ファイバコードの一端側を前記収納凹部に固定し、前記周壁に前記他端側の光ファイバコードを案内し、前記リール部材において前記一端側の光ファイバコードの余長を巻き取り、前記リール部材と前記周壁との距離が最小となるよう前記スライド部材を移動し、前記余長処理部を前記収納凹部に挿入し、前記余長処理部を前記収納凹部に固定し、前記他端側の光ファイバコードを前記光モジュールに接続し、前記距離を増加せしめるよう前記スライド部材を移動し前記他端側の光ファイバコードの余長を処理することを特徴とする。
【００１７】
更に、前記周壁は、前記光ファイバコードの所定の許容曲率半径より大なる半径を有することを特徴とする。
【００１８】
そして、本発明によれば、固定された複数の光ファイバケーブルが、光モジュールに接続される所定長の光ファイバコードに夫々変換され、これ等光ファイバコードの余長を夫々処理する複数の光ファイバコード余長処理装置を内蔵した光ファイバケーブル収容装置であって、前記光ファイバコード余長処理装置は、予め固定された中心軸に回転自在に軸支され前記光ファイバケーブル側の光ファイバコードの余長を巻き取るリール部材と、前記光モジュール側の光ファイバコードを案内する周壁と前記中心軸が挿入されたガイド溝とを有し、このガイド溝に沿って前記リール部材に対して移動自在なスライド部材と、前記中心軸を固定すると共に前記スライド部材を収容しつつ前記スライド部材の移動のためのガイド機能を有しかつ前記光ファイバケーブル収容装置への挿入および前記ファイバケーブル収容装置からの引き出しが可能なカバー部材とを含み、前記スライド部材の移動距離に応じて、前記光モジュール側の光ファイバコードの余長を処理することを特徴とする光ファイバケーブル収容装置が得られる。
【００１９】
更に、本発明によれば、固定された複数の芯線を有する光ファイバケーブルが、光モジュールに接続される所定長の光ファイバコードに前記複数の芯線毎に夫々変換され、これ等光ファイバコードの余長を夫々処理する複数の光ファイバコード余長処理装置を内蔵した光ファイバケーブル収容装置であって、前記光ファイバコード余長処理装置は、予め固定された中心軸に回転自在に軸支され前記光ファイバケーブル側の光ファイバコードの余長を巻き取るリール部材と、前記光モジュール側の光ファイバコードを案内する周壁と前記中心軸が挿入されたガイド溝とを有し、このガイド溝に沿って前記リール部材に対して移動自在なスライド部材と、前記中心軸を固定すると共に前記スライド部材を収容しつつ前記スライド部材の移動のためのガイド機能を有しかつ前記光ファイバケーブル収容装置への挿入および前記ファイバケーブル収容装置からの引き出しが可能なカバー部材とを含み、前記スライド部材の移動距離に応じて、前記光モジュール側の光ファイバコードの余長を処理することを特徴とする光ファイバケーブル収容装置が得られる。
【００２０】
本発明の作用を述べる。光モジュールに接続される所定長の光ファイバコードの余長処理を行うに際し、光ファイバコードを案内する周壁とガイド溝とが設けられたスライド部材と、このガイド溝に挿入され固定された中心軸に回転自在に軸支されたリール部材と、このリール部材の中心軸を固定してスライド部材を収容すると共にその移動のためのガイド機能を有するカバー部材とから構成される余長処理装置を用いる。固定された一端側の光ファイバコードの余長をリール部材で巻き取り、他端側の光ファイバコードを周壁に案内し、リール部材と周壁との距離が最小となる位置にスライド部材を引き出した後、余長処理装置を光ファイバケーブル収容装置へ固定する。その後、スライド部材を押し込み、リール部材と周壁との距離を増すことで他端側の光ファイバコードの弛みが周壁により引っ張られ、光モジュール側の光ファイバコードの余長が処理される。これにより、光ファイバコードの余長を完全に処理することが可能となると共に、余長処理を光ファイバケーブル収容装置の外で行うことで作業性が改善される。
【００２１】
【発明の実施の形態】
以下に、添付図面を参照しつつ本発明の実施の形態について説明する。本発明の実施の形態における光ファイバコード余長処理装置を内蔵した光ファイバケーブル収容装置の表面を一部切り欠いた外観斜視図を図１に示す。また、図２及び図３に、図１に示す光ファイバケーブル収容装置の内部状態の正面図及び左側面図を夫々示す。図１〜図３において、１１ａ〜１１ｄは光ファイバケーブル、１３ａ〜１３ｄは光ファイバケーブル固定用金具であり、光ファイバケーブル１１ａ〜１１ｄは夫々光ファイバケーブル固定用金具１３ａ〜１３ｄによって本発明における光ファイバコード余長処理装置を内蔵した光ファイバケーブル収容装置（以下、単に「装置」という）筐体１５に固定される。また、１２ａ〜１２ｄは所定の長さを有する光ファイバコードであり、光ファイバケーブル１１ａ〜１１ｄに夫々接続されている。
【００２２】
一方、１０ａ〜１０ｄは本発明における光ファイバコード余長処理装置（以下、単に「余長処理部」という）であり、夫々余長処理収容部２０に固定して収容されている。また、１４ａ〜１４ｄは光モジュールであり、１６ａ〜１６ｄは光コネクタである。ここで、光ファイバケーブル１１ａ〜１１ｄは夫々光モジュール１４ａ〜１４ｄに対応しており、光ファイバコード１２ａ〜１２ｄに夫々接続された後、余長処理部１０ａ〜１０ｄにおいて夫々余長処理がなされ、光コネクタ１６ａ〜１６ｄを介して光モジュール１４ａ〜１４ｄに接続される構成である。
【００２３】
次に、余長処理部１０ａ〜１０ｄの構成について図４を参照しながら説明する。図４は、本発明の実施の形態における光ファイバコード余長処理装置の詳細を説明するための分解斜視図である。なお、余長処理部１０ａ〜１０ｄは全て同じ構造を有しているものとする。図４において、余長処理部１０は、ねじ６ａ，６ｂと、カバー１と、スライド板２と、機構片３と、リール４と、ワッシャー５と、ねじ６ｃとから構成されている。
【００２４】
カバー１は、開口凹部１７と、鍔１８ａ，１８ｂとを有し、開口凹部１７にはリール４の中心軸を固定するねじ穴１ｃが、鍔１８ａ，１８ｂには余長処理収容部２０に固定するねじ穴１ａ，１ｂが夫々設けられている。スライド板２には、中央部に長円形の溝であるガイドスロット８が、端部に光ファイバコードを案内する２つの周壁から成る光ファイバコードガイド７ａ，７ｂが、そして光ファイバコードガイド７ａ，７ｂとは反対側の端部に移動操作用の取っ手９が夫々設けられている。なお、ねじ穴１ｃの中心はガイドスロット８の長径軸上に設けられ、光ファイバコードガイド７ａ，７ｂは、ガイドスロット８側が弦方向となるような向きに設けられ、光ファイバコードの許容曲率半径より大きな曲げ半径となるような円弧を描く曲面で作られているものとする。
【００２５】
リール４は断面がＵ字型であり、ワッシャー５を介してねじ６ｃを用いてその中心が機構片３の中心軸３ａに取り付けられる。そして、スライド板２はカバー１の開口凹部１７に収納され、リール４が取り付けられた機構片３の中心軸３ａがガイドスロット８に挿入されねじ穴１ｃに固定される。なお、リール４は中心軸３ａにより回転自在に軸支された状態で取り付けられ、スライド板２はガイドスロット８に沿ってガイド機能を有するカバー１に対して移動可能な構造となっている。すなわち、スライド板２をカバー１に対して移動させることでリール４と光ファイバコードガイド７ａ，７ｂとの距離を変えることができる。
【００２６】
次に、本発明の実施の形態における光ファイバコード余長処理装置を用いて光ファイバコードの余長処理をなす手順について説明する。図５及び図６は本発明の実施の形態における光ファイバコード余長処理装置を光ファイバケーブル収容装置に取り付け、光ファイバコードの余長処理を行う手順を説明する図である。なお、図５及び図６において、図１〜図４と同等部分については同一符号で示している。また、図５及び図６は装置筐体１５を左側面から見た図であり、余長処理収容部２０の部分は簡略化して示している。
【００２７】
まず、図５（ａ）において、光ファイバケーブル１１は装置筐体１５の上部で固定され、光ファイバケーブル１１の芯線は光ファイバコード１２に変換され装置筐体１５内に配線される。そして、装置筐体１５の外部において余長処理部１０のリール４に巻き付けられ、リール４を反時計方向に回転することで光ファイバコード１２が巻き取られる。なお、この時スライド板２の位置は、リール４に光ファイバコード１２を巻く際に邪魔にならない位置にあれば良い。
【００２８】
次に、図５（ｂ）において、リール４に巻き取られた光ファイバコード１２のうち、光コネクタ１６側の光ファイバコード１２を光ファイバコードガイド７ａと７ｂとの間に通す。この時、取っ手９を引き出してスライド板２を左方向へ移動し、リール４と光ファイバコードガイド７ａ，７ｂとの距離を接近させておく。
【００２９】
そして、図５（ｃ）において、装置筐体１５の余長処理収納部２０に余長処理部１０を挿入する。この時、スライド板２を左方向へ移動しながらリール４を回し、光ファイバケーブル１１側の光ファイバコード１２をリール４に巻き取り、光ファイバケーブル１１側の光ファイバコード１２の余長を処理していく。
【００３０】
次に、図６（ａ）において、取っ手９を引き出し、リール４の中心軸３ａがガイドスロット８の右端に来るまでスライド板２を移動して、リール４と光ファイバコードガイド７ａ，７ｂとの距離を最小にした状態で、リール４で光ファイバケーブル１１側の光ファイバコード１２の余長を完全に処理する。その後、ねじ６ａ，６ｂを夫々鍔１８ａ，１８ｂのねじ穴１ａ，１ｂに挿入し、余長処理部１０を余長処理収納部２０に固定する。
【００３１】
そして、図６（ｂ）において、光ファイバコード１２の先端にある光コネクタ１６を光モジュール１４に接続し、取っ手９を押し込みスライド板２をガイドスロット８に沿って余長処理収納部２０の奥行き方向に移動させる。なお、この時リール４は、光ファイバケーブル１１側の光ファイバコード１２の余長処理がなされた状態を保持しつつ回転せずに固定されている。
【００３２】
最後に、図６（ｃ）において、光コネクタ１６側の光ファイバコード１２は、スライド板２を余長処理収納部２０の奥行き方向に移動させることで光ファイバコードガイド７ａ、７ｂにより引っ張られ、光コネクタ１６側の光ファイバコード１２の余長が処理され、光ファイバコード１２の弛みが無くなった状態に設定される。
【００３３】
なお、光モジュール１４から光コネクタ１６を外し、接続替え等を行う場合には、上記図５（ａ）〜図６（ｃ）に示した手順を逆に行うことで容易に作業を行うことができるが、ここではその説明は省略する。
【００３４】
以上説明したように、本発明による余長処理部を用いることで、従来不可能であったリールの最後の一巻分の長さの余長が完全に処理することができるようになると共に、装置内の作業空間の有無にかかわらず装置外において整然と光ファイバコードの配線を行うことができる。
【００３５】
また、上記図１〜図３では、装置筐体に複数の光ファイバケーブルが引き込まれ固定された場合について示しているが、光ファイバケーブルの芯線は一般的に多数本存在することから、多芯光ファイバケーブルが装置筐体に引き込まれ固定された場合も同様に光ファイバコードの余長処理を行う必要がある。図７に、本発明の他の実施の形態における光ファイバコード余長処理装置を内蔵した光ファイバケーブル収容装置の外観を示す。これは、多芯光ファイバケーブルを装置に引き込んだ状態における余長処理部の構成例を示したものであり、図１と同等部分については同一符号で示している。
【００３６】
かかる構成において、多芯光ファイバケーブル１１は装置筐体１５の上部で光ファイバケーブル固定用金具１３によって固定され、各芯線毎に光ファイバコード１２ａ〜１２ｄに接続される。そして、余長処理部１０ａ〜１０ｄにおいて、夫々余長処理がなされ、光コネクタ１６ａ〜１６ｄを介して光モジュール１４ａ〜１４ｄに接続される。かかる場合における光ファイバコード１２ａ〜１２ｄの余長処理手順は上述した実施の形態で示した図５（ａ）〜図６（ｃ）の手順と同様であるため、詳細な説明は省略する。
【００３７】
なお、上記実施の形態においては、本発明における光ファイバコード余長処理装置が光ファイバケーブル収容装置に適用されるに際し、その数が４つの場合を想定して説明しているが、光ファイバコード余長処理装置の数はこれに限定されるものではなく、光ファイバケーブル収容装置が収容する光チャネル数の増加に伴い、光ファイバコード余長処理装置の数を任意に設定可能であることは明らかである。
【００３８】
【発明の効果】
叙上の如く、本発明によれば、リールを用いて巻き取った後に残存する光ファイバコードの余長を装置外で操作できるスライド板の移動により処理する構造をとっているため、余長を残すことなく完全に処理することができる。また、余長処理部の装置に占める割合を低減することができるため、コネクタ接続替え、光チャネルの増設移設、保守点検等の作業空間を装置内に確保することができると共に、作業性の改善が図られるという効果がある。
【００３９】
更に、本発明によれば、光ファイバケーブルを多数本引き込む大型の装置においては、余長処理部の占める割合が減った分、光チャネルの実装数の増加が見込めると共に、光コネクタの着脱頻度が増加しても保守点検や増設移設工事の作業を容易に行うとができる。また、光チャネル数の少ない小型の装置にあっては、より小型化を図ることができるという効果もある。
【図面の簡単な説明】
【図１】本発明の実施の形態における光ファイバコード余長処理装置を内蔵した光ファイバケーブル収容装置の外観斜視図である。
【図２】本発明の実施の形態における光ファイバコード余長処理装置を内蔵した光ファイバケーブル収容装置の正面図である。
【図３】本発明の実施の形態における光ファイバコード余長処理装置を内蔵した光ファイバケーブル収容装置の左側面図である。
【図４】本発明の実施の形態における光ファイバコード余長処理装置の分解斜視図である。
【図５】本発明の実施の形態における光ファイバコード余長処理装置を光ファイバケーブル収容装置に取り付ける手順を説明する図である。
【図６】本発明の実施の形態における光ファイバコード余長処理装置を光ファイバケーブル収容装置に取り付ける手順を説明する図である。
【図７】本発明の他の実施の形態における光ファイバコード余長処理装置を内蔵した光ファイバケーブル収容装置の外観斜視図である。
【図８】従来の余長処理部にリールを用いた場合、余長が完全に処理される状態を模式的に表した図である。
【図９】従来の余長処理部にリールを用いた場合、余長がうまく処理されない状態を模式的に表した図である。
【図１０】従来の余長処理部にリールを用いた場合、余長がうまく処理されない状態を模式的に表した図である。
【符号の説明】
１  カバー
１ａ，１ｂ，１ｃ  ねじ穴
２  スライド板
３  機構片
３ａ  中心軸
４  リール
５  ワッシャー
６ａ，６ｂ，６ｃ  ねじ
７ａ，７ｂ  光ファイバコードガイド
８  ガイドスロット
９  取っ手
１０，１０ａ，１０ｂ，１０ｃ，１０ｄ  光ファイバコード余長処理装置
１１，１１ａ，１１ｂ，１１ｃ，１１ｄ  光ファイバケーブル
１２ａ，１２ｂ，１２ｃ，１２ｄ  光ファイバコード
１３，１３ａ，１３ｂ，１３ｃ，１３ｄ  光ファイバケーブル固定用金具
１４，１４ａ，１４ｂ，１４ｃ，１４ｄ  光モジュール
１５  光ファイバケーブル余長処理装置を内蔵した光ファイバケーブル収容装置筐体
１６ａ，１６ｂ，１６ｃ，１６ｄ  光コネクタ
１７  開口凹部
１８ａ，１８ｂ  鍔
２０  余長処理収納部
【図１】
0003778021.tif 000002
【図２】
0003778021.tif 000003
【図３】
0003778021.tif 000004
【図４】
0003778021.tif 000005
【図５】
0003778021.tif 000006
【図６】
0003778021.tif 000007
【図７】
0003778021.tif 000008
【図８】
0003778021.tif 000009
【図９】
0003778021.tif 000010
【図１０】
0003778021.tif 000011